(57)【要約】      （修正有）【課題】揚物から滲み出した余剰の油分によって揚物の食味や食感が損なわれるのを防止でき、且つ、温かい揚物を入れても手に持てる充分な断熱能を有し、また、薄手でコンパクトに収納できる、紙製袋を提供する。【解決手段】略水平方向の切れ目を千鳥状に設けた紙の下半部を上方に折り返して形成した挟持片６を、上部が開口する平袋２に内包せしめると共に、挟持片６の両上端部６ａ，６ａを平袋２の開口を形成する上縁３ａ，４ａに連結した。紙製袋１に揚物を入れると、切れ目が開き筒状部６ｃ，…が現れることにより、揚物が平袋２内面との間に間隔を置いて支承されるから、揚物の発する熱が平袋２に伝わり難い。揚物の余剰の油分は、筒状部６ｃ，…の中空内部を伝って挟持片６外に落下し揚物と再接触しない。【選択図】図３
0003165722.tif 000002
【実用新案登録請求の範囲】
【請求項１】
上部が開口する平袋と、該平袋に内包される挟持片とを具え、
該挟持片は、略水平方向の切れ目を千鳥状に設けた紙の下半部を上方に折り返して形成され、その両上端部が前記平袋の前葉及び後葉の上縁に連結されてなることを特徴とする紙製袋。
【請求項２】
平袋が、その前葉及び後葉の一方に設けられた糊代を他方に貼着した貼合部を有し、
挟持片が、前記貼合部に対して、正面視重ならない位置に配置されてなることを特徴とする請求項１に記載の紙製袋。
【請求項３】
１枚の紙から挟持片と一体として切り抜かれた前葉と後葉とが、前葉又は後葉に延設された糊代で、それらの両側縁及び下縁を貼り合わされてなることを特徴とする請求項２に記載の紙製袋。
【考案の詳細な説明】
【技術分野】
【０００１】
本考案は、食品に適した紙製袋に関し、特にファーストフード店やコンビニエンスストア等で提供される揚物に適した紙製袋に関する。
【背景技術】
【０００２】
ファーストフード店やコンビニエンスストア等では、フライドチキン，コロッケ，唐揚げ，さつま揚げ，ハッシュドポテト等の揚物が、使い捨ての紙製袋に入れられて販売される。当該紙製袋として、一般的には、耐油紙で作製された単層の袋が用いられている。当該袋に揚物を入れると、その内面に余剰の油分が付着して食味や食感を損ない、また、当該袋が単層で断熱性に乏しいために、揚物の熱が手に伝わり長く持ち続けられない問題があった。
【０００３】
袋の底に溜まり又は内面に結露した揚物の油分や水分のために揚物の食感が損なわれるのを防ぐ目的で、紙製食品包装袋を形成する耐油紙の内面に、吸油吸水紙を添合した紙製食品包装袋が開示されている（例えば、特許文献１参照）。前記吸油吸水紙としてクレープ加工を施したクレープ紙を添合することにより、当該紙製食品包装袋が、更に断熱効果を発揮することも示されている。
【先行技術文献】
【特許文献】
【０００４】
【特許文献１】特開２０１０−３６９５１号公報
【考案の概要】
【考案が解決しようとする課題】
【０００５】
しかしながら、上記特許文献１の紙製食品包装袋は、その内面に添合されたクレープ紙とのごく薄い空気層によって断熱効果を得る構成であって、その効果は不充分なものであった。ファーストフード店やコンビニエンスストア等では、美味しく感じられる温かい揚物を提供するのが常であるが、揚物を入れた当該紙製食品包装袋の空気層は薄過ぎて容易に熱が伝わるから、それを持った手に熱く感じられ場合によっては火傷を負う虞がある。
【０００６】
また、上記紙製食品包装袋は、その前葉及び後葉の何れもが耐油紙と吸油吸水紙の２層で形成され、しかも当該吸油吸水紙がクレープ加工されているから、厚みが大きい。特に、余剰の油分が多量に滲み出る揚物を包装する場合には、それを吸収するために吸油吸水紙を厚くする必要があり、紙製食品包装袋の厚みが増してしまう。ファーストフード店やコンビニエンスストア等では揚物を販売するために多数の袋を常備する必要があるが、当該紙製食品包装袋は嵩張り、その収納スペースを確保するのが困難である。
【０００７】
上記問題点に鑑み、本考案は、揚物から滲み出した余剰の油分によって揚物の食味や食感が損なわれるのを防止でき、且つ、温かい揚物を入れても手に持てる充分な断熱能を有する紙製袋を提供することを課題とする。また、薄手でコンパクトに収納できる、前記紙製袋を提供することを課題とする。
【課題を解決するための手段】
【０００８】
上記課題を解決する第１の考案の紙製袋は、
上部が開口する平袋と、該平袋に内包される挟持片とを具え、
該挟持片は、略水平方向の切れ目を千鳥状に設けた紙の下半部を上方に折り返して形成され、その両上端部が前記平袋の前葉及び後葉の上縁に連結されてなる。
【０００９】
第２の考案は、第１の考案の紙製袋であって、
平袋が、その前葉及び後葉の一方に設けられた糊代を他方に貼着した貼合部を有し、
挟持片が、前記貼合部に対して、正面視重ならない位置に配置されてなる。
【００１０】
第３の考案は、１枚の紙から挟持片と一体として切り抜かれた前葉と後葉とが、前葉又は後葉に延設された糊代で、それらの両側縁及び下縁を貼り合わされてなる第２の考案の紙製袋である。
【考案の効果】
【００１１】
本考案に係る挟持片は、略水平方向の切れ目が千鳥状に設けられているから、下端付近を押し下げると、切れ目の高さ位置を折れ目として多段に折れ曲がり、それと同時に個々の切れ目が開く構成である。それによって、挟持片は下方に伸長し、切れ目によって形成される筒状部が現れる。本考案の紙製袋に入れた揚物は筒状部で支承され、該揚物と平袋内面との間に充分な間隔が置かれるから、紙製袋を持つ手に熱が伝わり難い。
【００１２】
揚物から滲み出した余剰の油分は、筒状部の中空内部を伝って挟持片外に流下し、揚物と分離される。流下した油分は、紙製袋１の開口を上に向けた場合には平袋の底に、紙製袋を横倒しにした場合には前葉又は後葉の内面に落下し、何れの場合でも揚物と再接触しない。したがって、本考案の紙製袋によれば、余剰の油分のために揚物の食味や食感が損なわれることが防止される。
【００１３】
また、本考案は、畳んだ状態では薄く、多数重ねても大きなスペースを要しないから、ファーストフード店やコンビニエンスストア等での収納に適する。更に、本考案は、少ない工程で作製でき、作製に要する紙の量も少ないから、安価に製造できる。
【００１４】
第２の考案の紙製袋は、挟持片が貼合部と重ならないから、そうでない場合に比べて薄手であり、よりコンパクトに収納できる。
【００１５】
第３の考案の紙製袋は、平袋と挟持片との連結部が充分な強度を有していて、揚物を入れ挟持片の下部を押下しても、当該連結部が分離し難い。また、平袋と挟持片が一体として作製されるから、別体として作製された挟持片を平袋に連結するのに比べ、製作容易である。製作に要する工程数がより少なくて済むから、より安価に製造することもできる。
【００１６】
当該紙袋は、畳んだ状態では両側部及び底部の厚みが相互に等しく、しかもそれらと挟持片内在部分との厚みの差も小さい。したがって、多数積み重ねても傾いたり倒れたりし難く安定に積み重ねられるから、より収納に適する。
【図面の簡単な説明】
【００１７】
【図１】本考案の紙製袋を示す正面図である。
【図２】本考案の紙製袋の展開図を示す平面図である。
【図３】紙製袋の平袋を開け挟持片を下方に伸長させた状態を示す斜視図である。
【図４】図３の要部側方視断面端面図である。
【考案を実施するための形態】
【００１８】
以下に、本考案を実施するための形態を、実施例を示す図面を参照して詳細に説明する。尚、本考案は、以下の実施例に限定されるものではない。
【実施例】
【００１９】
本考案の紙製袋１は、図１及び図２に示される様に、
上部が開口する平袋２と、該平袋２に内包される挟持片６とを具え、
該挟持片６は、略水平方向の切れ目６ｂ，…を千鳥状に設けた紙の下半部を上方に折り返して形成され、その折り返された両上端部６ａ，６ａが前記平袋２の前葉３及び後葉４の上縁３ａ，４ａに連結されてなる。
【００２０】
紙製袋１は、紙で作製され、好ましくは、揚物８から滲み出る油分が漏れ出さない様に、少なくとも平袋２は耐油紙製とされる。
【００２１】
平袋２は、その前葉３と後葉４とを糊代５ａ，…で貼り合わせて形成されており、上部が開口する形状である。後葉４の両側縁４ｃ，４ｃ及び下縁４ｂに延設された糊代５ａ，…を折り返し、前葉３の両側縁３ｃ，３ｃ及び下縁３ｂの表面にそれぞれ貼着することにより、貼合部５，…が平袋の両側部及び底部に形成されている。隣接する貼合部５，…は、互いに重ならない様に配置されている。
【００２２】
平袋２の形状は必ずしもこれに限られず、例えば、前葉３又は後葉４の左右略中央の正面視挟持片６と重なる位置に貼合部５を設けても良いが、この場合、挟持片６と貼合部５が重なる部分が紙５枚分の厚みを有し紙製袋は厚くなる。斯様な紙製袋でも充分に薄手でコンパクトに収納できるが、多数重ねると比較的広い収納スペースを必要とする。したがって、平袋２は、挟持片６と貼合部５とを正面視重ならない位置に配置し、より薄く形成することが好ましく、それによって多数重ねて収納することにも適する。同様の理由により、隣接する貼合部５，…が互いに重ならない様に、糊代５ａ，…を形成することが好ましい。
【００２３】
平袋２は、例えば、両側部及び底部から選ばれる１箇所若しくは２箇所にのみ貼合部５が設けられていても良く、又は、両側縁３ｃ，３ｃと両側縁４ｃ，４ｃ及び下縁３ｂと下縁４ｂがそれぞれ単に貼り合わせ若しくはヒートシールされていても良い。しかし、これら何れの場合でも、紙製袋１は薄手でコンパクトに収納できるものの、多数積み重ねたときには貼合部５の無い側に傾き倒れてしまう虞を孕む。したがって、平袋２は、図示される様に両側部及び底部の何れにも貼合部５，…が形成された形状であることが好ましい。両側部と底部の厚みが等しくされると共に、それらの部分と挟持片６内在部分との厚みの差が小さくなり、より安定に積み重ねることが可能となるからである。
【００２４】
糊代５ａ，…は、その全てが後葉４に延設されることに限られず、全てが前葉３に延設されていても良く、又は、一部が前葉３に延設されると共に他が後葉４に延設されていても良い。また、糊代５ａは、必ずしも前葉３又は後葉４の表面に貼着されることに限られず、それらの内面に貼着されていても良い。
【００２５】
平袋２の開口を形成する前葉３及び後葉４の上縁３ａ，４ａには、挟持片６の両上端部６ａ，６ａが連結されている。上端部６ａ，６ａは、挟持片６下端の押圧によって局所的な力が加わり連結部７，７が破断しない様、上縁３ａ，４ａの相互対向する位置、即ち平袋２を畳むと相互に重なる位置に連結されている。当該連結の手段は特に限定されず、例えば、両上端部６ａ，６ａが上縁３ａ，４ａ直下の内面に接着され、ステープラーにより止着され、若しくは粘着テープで貼着されていても良いが、図２に示される様に、両上端部６ａ，６ａが上縁３ａ，４ａと連結する様に１枚の紙を切り抜いて、挟持片６と平袋２とを一体として作製することが好ましい。接着，止着又は貼着して形成された連結部７よりも連結が強固であり、挟持片６の下端を押下しても連結部７が剥離又は破断し分離することが防止されるからである。尚、図２においては、山折りされる部分を１点鎖線で、谷折りされる部分を破線で、それぞれ示している。
【００２６】
斯様にして１枚の紙から挟持片６，前葉３，及び後葉４を一体として切り抜いて紙製袋１を作製する場合、図２に示される展開状態に切り抜いた紙、又はそれを上下二つ折りにして前葉３と後葉４とを糊代５ａ，…で貼り合わせ平袋２を形成したものを保存しておくこともできる。上記何れの状態からでも、迅速且つ容易に紙製袋１を作製し使用に供することが可能である。
【００２７】
挟持片６は、矩形の紙に図２に示される略水平方向の切れ目６ｂ，…を千鳥状に多数設け、当該矩形の紙を二つ折りにして形成される。挟持片６の展開形状は、必ずしも矩形に限られず、多角形その他任意の形状であって良く、また、二つ折りにしても重ならない非対称な形状であっても良い。挟持片６のサイズも特に限定されないが、その上下方向の長さは、挟持片６が負荷なく下方へ伸長する様に、平袋２の上下方向の長さよりも短くされる。好ましくは、挟持片６の上下方向の長さは平袋２のそれの半分程度とされ、それによって、開口が互いに反対を向く紙製袋１，…を交互に重ねて収納スペースを節約すると共に、より安定に積み重ねることが可能となる。
【００２８】
挟持片６は、その下端付近が押下されると、切れ目６ｂ，…の高さ位置を折れ目として多段に折れ曲がり、それと同時に個々の切れ目６ｂ，…が開く構成である。それによって挟持片６は下方に伸長し、前記切れ目６ｂ，…によって形成される筒状部６ｃ，…が現れる。図３及び図４においては、ハニカム様に並んだ略六角筒状の筒状部６ｃ，…を例示するが、必ずしもこれに限られず、切れ目６ｂ，…の形状，長さ，及び間隔を調整することにより、筒状部６ｃ，…の形状は変わり得る。また、切れ目６ｂ，…の位置は特に限定されず、例えば、当該切れ目６ｂ，…が挟持片６全体に設けられていても良く、又は上下方向の一部の範囲に設けられていても良い。ただし、局所的負荷を与えずに挟持片６が伸長する様に、一部の切れ目６ｂ，…が、挟持片６の左右両端に至る位置に設けられることが好ましい。
【００２９】
斯様に構成した本考案の紙製袋１に、挟持片６下端付近を押下する様にして揚物８を入れると、上記の様にして、挟持片６が下方に伸長すると共に筒状部６ｃ，…が現れる。当該筒状部６ｃ，…の少なくとも一部は、その一開口端が平袋２の前葉３又は後葉４の内面に当接すると共に他開口端が揚物８に当接し、それによって揚物８を支承する。平袋２の前葉３又は後葉４の内面と揚物８とは、筒状部６ｃ，…により充分な間隔を置いて配置されるから、揚物８の温度が高かったとしても、紙製袋１を持つ手に熱が伝わり難い。また、揚物８から滲み出した余剰の油分は、筒状部６ｃ，…の中空内部を伝って挟持片６外に流下し、揚物８と分離される。流下した油分は、紙製袋１の開口を上に向けた場合には平袋２の底に、紙製袋１を横倒しにした場合には前葉３又は後葉４の内面に落下し、何れの場合でも揚物８と再接触しない。したがって、紙製袋１によれば、余剰の油分のために揚物８の食味や食感が損なわれることが防止される。
【００３０】
これまで述べてきた様に、本考案の紙製袋１は揚物用の袋として優れた機能を有するが、その用途はこれに限定されず、焼き物や煮物など各種食品用の袋としても好適に用いられる。
【符号の説明】
【００３１】
１  紙製袋
２  平袋
３  前葉
３ａ，４ａ  上縁
３ｂ，４ｂ  下縁
３ｃ，４ｃ  側縁
４  後葉
５  貼合部
５ａ  糊代
６  挟持片
６ａ  上端部
６ｂ  切れ目
６ｃ  筒状部
７  連結部
８  揚物
【図１】
0003165722.tif 000003
【図２】
0003165722.tif 000004
【図３】
0003165722.tif 000005
【図４】
0003165722.tif 000006